(57)【要約】【課題】ノイズの影響等により巻取りリールの回転周期、供給リールの回転周期とのリール回転周期比が急変した場合であっても、正常なリール回転周期比に応じたテープ走行速度で磁気テープを高速早送り、高速巻戻しすることができるようにする。【解決手段】供給リールの回転周期と巻取りリールの回転周期との二乗和に基づいて磁気テープの種類を判別して、テープ走行速度を磁気テープの種類に応じた速度に加速し、供給リールの回転周期と巻取りリールの回転周期とのリール回転周期比に応じたテープ走行速度で磁気テープを高速早送り、高速巻戻しして、リール回転周期比を監視し、リール回転周期比が急変したとき、リール回転周期比が急変する前のリール回転周期比に応じたテープ走行速度で磁気テープの高速早送り、高速巻戻しを続行するようにする。【選択図】        図１
2005025884.tif 000002
【特許請求の範囲】
【請求項１】
テープ走行速度を加速して、磁気テープを高速早送り、高速巻戻しすることが可能な磁気テープ装置であって、
供給リールの回転周期と巻取りリールの回転周期とを検出する検出手段と、前記検出手段により検出された供給リールの回転周期と巻取りリールの回転周期との二乗和に基づいて磁気テープの種類を判別して、テープ走行速度を磁気テープの種類に応じた速度に加速し、前記検出手段により検出された供給リールの回転周期と巻取りリールの回転周期とのリール回転周期比に応じたテープ走行速度で磁気テープを高速早送り、高速巻戻しするテープ走行手段と、前記検出手段により検出された供給リールの回転周期と巻取りリールの回転周期とのリール回転周期比を監視して、リール回転周期比の急変を判別する判別手段と、前記判別手段によりリール回転周期比が急変したと判別されたとき、リール回転周期比が急変する前のリール回転周期比に応じたテープ走行速度で磁気テープの高速早送り、高速巻戻しを続行するテープ走行制御手段とを備えたことを特徴とする磁気テープ装置。
【請求項２】
テープ走行速度を加速して、磁気テープを高速早送り、高速巻戻しすることが可能な磁気テープ装置であって、
供給リールの回転周期と巻取りリールの回転周期とを検出する検出手段と、テープ走行速度を加速して、磁気テープを高速早送り、高速巻戻しするテープ走行手段と、前記検出手段により検出された供給リールの回転周期と巻取りリールの回転周期とのリール回転周期比を監視して、リール回転周期比の急変を判別する判別手段と、前記判別手段によりリール回転周期比が急変したと判別されたとき、高速早送り、高速巻戻し中のテープ走行速度を維持して、磁気テープの高速早送り、高速巻戻しを続行するテープ走行制御手段とを備えたことを特徴とする磁気テープ装置。
【請求項３】
前記テープ走行手段は、前記検出手段により検出された供給リールの回転周期と巻取りリールの回転周期との二乗和に基づいて磁気テープの種類を判別して、テープ走行速度を磁気テープの種類に応じた速度に加速し、磁気テープを高速早送り、高速巻戻しするテープ走行手段であることを特徴とする請求項２記載の磁気テープ装置。
【請求項４】
前記テープ走行手段は、前記検出手段により検出された供給リールの回転周期と巻取りリールの回転周期とのリール回転周期比に応じたテープ走行速度で磁気テープを高速早送り、高速巻戻しするテープ走行手段であることを特徴とする請求項２記載の磁気テープ装置。
【請求項５】
前記テープ走行制御手段は、前記判別手段によりリール回転周期比が急変したと判別されたとき、リール回転周期比が急変する前のリール回転周期比に応じたテープ走行速度で磁気テープの高速早送り、高速巻戻しを続行するテープ走行制御手段であることを特徴とする請求項２記載の磁気テープ装置。
【発明の詳細な説明】
【０００１】
【発明の属する技術分野】本発明は、磁気テープに映像音声信号を記録再生する磁気テープ装置に係り、特に磁気テープの高速早送り、高速巻戻しが可能な磁気テープ装置に関する。
【０００２】
【従来の技術】周知のように、磁気テープの高速早送り、高速巻戻し時、供給リールの回転によるリールパルスと巻取りリールの回転によるリールパルスとを検出して、巻取りリールの回転周期と供給リールとの回転周期とのリール回転周期比に応じたテープ走行速度で磁気テープを高速早送り、高速巻戻しするようになっている。しかし、磁気テープの高速早送り、或いは高速巻戻し時に、巻取りリールの回転を検出するリールパルス、供給リールの回転を検出するリールパルスにノイズが混入すると、巻取りリールの回転周期、供給リールの回転周期が誤って検出され、供給リールの回転周期と巻取りリールの回転周期とのリール回転周期比が急変して、磁気テープの高速早送り、高速巻戻しが急停止され、磁気テープに傷が付いたり、磁気テープが切断されたりするという問題点があった。
【０００３】従来の技術としては、供給リール及び巻取りリールの回転数をそれぞれ測定し、各リールの回転数からテープの総面積及び各リール面積を算出して、両リールの回転速度比を比較し、供給側に対し巻取り側の速度比がある値以上のとき、各リール面積算出前に即早送り／巻戻し動作の加速し、テープ総面積に合わせて設定されたテープ走行速度限界値を越えているときには、巻取り側面積より算出される目標キャプスタンモータ回転数になるようにテープ走行速度を制御するようにしたものがあった（例えば、特許文献１参照）。
【０００４】また、所定時間内に供給リールと巻取りリールとの回転周期に応じたタイミングでリールパルスが検出できないとき、保護モードへ移行してテープ送りを一旦停止させ、低速でテープ送りを継続させ、或いはテープ送りを減速させ、保護モードに移行されているときに、或いはテープ送りが減速されているときに、リールパルスが検出された場合、テープ送りを再加速させ、リールパルスに基づいて判定される走行位置に対応したテープ走行速度でテープ送りを実行するようにしたものがあった（例えば、特許文献２参照）。
【０００５】
【特許文献１】特開２００１−３４４８５３号公報
【特許文献２】実用新案登録第３０８５８３１号公報
【０００６】
【発明が解決しようとする課題】しかしながら、従来の技術で述べたもののうち前者においては、供給リール及び巻取りリールの回転数をそれぞれ測定し、各リールの回転数からテープの総面積及び各リール面積を算出して、両リールの回転速度比を比較し、供給側に対し巻取り側の速度比がある値以上のとき、各リール面積算出前に即早送り／巻戻し動作の加速し、テープ総面積に合わせて設定されたテープ走行速度限界値を越えているときには、巻取り側面積より算出される目標キャプスタンモータ回転数になるようにテープ走行速度を制御することができたが、磁気テープの高速早送り、高速巻戻し時に、ノイズの影響等により巻取りリールの回転周期、供給リールの回転周期が誤って検出された場合の上記した問題点を解決するようにしたものではなかった。
【０００７】また、後者においては、所定時間内に供給リールと巻取りリールとの回転周期に応じたタイミングでリールパルスが検出できないとき、保護モードへ移行してテープ送りを一旦停止させ、低速でテープ送りを継続させ、或いはテープ送りを減速させ、保護モードに移行されているときに、或いはテープ送りが減速されているときに、リールパルスが検出された場合、テープ送りを再加速させ、リールパルスに基づいて判定される走行位置に対応したテープ走行速度でテープ送りを実行することができたが、上記同様、磁気テープの高速早送り、高速巻戻し時に、ノイズの影響等により巻取りリールの回転周期、供給リールの回転周期が誤って検出された場合の上記した問題点を解決するようにしたものではなかった。
【０００８】本発明は、従来の技術の有するこのような問題点に鑑みてなされたものであり、その目的とするところは、ノイズの影響等により巻取りリールの回転周期、供給リールの回転周期とのリール回転周期比が急変した場合であっても、正常なリール回転周期比に応じたテープ走行速度で磁気テープを高速早送り、高速巻戻しすることができる磁気テープ装置を提供しようとするものである。
【０００９】
【課題を解決するための手段】上記目的を達成するため本発明においては、テープ走行速度を加速して、磁気テープを高速早送り、高速巻戻しすることが可能な磁気テープ装置であって、供給リールの回転周期と巻取りリールの回転周期とを検出する検出手段と、テープ走行速度を加速して、磁気テープを高速早送り、高速巻戻しするテープ走行手段と、前記検出手段により検出された供給リールの回転周期と巻取りリールの回転周期とのリール回転周期比を監視して、リール回転周期比の急変を判別する判別手段と、前記判別手段によりリール回転周期比が急変したと判別されたとき、高速早送り、高速巻戻し中のテープ走行速度を維持して、磁気テープの高速早送り、高速巻戻しを続行するテープ走行制御手段とを備える。
【００１０】前記テープ走行手段は、前記検出手段により検出された供給リールの回転周期と巻取りリールの回転周期との二乗和に基づいて磁気テープの種類を判別して、テープ走行速度を磁気テープの種類に応じた速度に加速し、磁気テープを高速早送り、高速巻戻しするようにするとよい。
【００１１】また、前記テープ走行手段は、前記検出手段により検出された供給リールの回転周期と巻取りリールの回転周期とのリール回転周期比に応じたテープ走行速度で磁気テープを高速早送り、高速巻戻しするようにするとよい。
【００１２】前記テープ走行制御手段は、前記判別手段によりリール回転周期比が急変したと判別されたとき、リール回転周期比が急変する前のリール回転周期比に応じたテープ走行速度で磁気テープの高速早送り、高速巻戻しを続行するようにするとよい。
【００１３】これらの手段により、ノイズの影響等により巻取りリールの回転周期、供給リールの回転周期とのリール回転周期比が急変した場合であっても、正常なリール回転周期比に応じたテープ走行速度で磁気テープを高速早送り、高速巻戻しすることができる。
【００１４】
【発明の実施の形態】以下、適宜図面を参照しながら本発明の実施の形態を詳述する。図１は本発明の実施の形態に係る磁気テープ装置の構成を示すブロック図であり、図２は本発明の実施の形態に係る磁気テープ装置のリール回転周期比を示す説明図であり、図３は本発明の実施の形態に係る磁気テープ装置のリールパルスを示す説明図であり、図４は本発明の実施の形態に係る磁気テープ装置の高速早送り動作を示すフローチャートであり、図５は本発明の実施の形態に係る磁気テープ装置の高速巻戻し動作を示すフローチャートである。
【００１５】まず、図１の本発明の実施の形態に係る磁気テープ装置の構成を示すブロック図を基に説明する。
【００１６】磁気テープ装置は、供給リール１を回転させて磁気テープＴを巻き戻す巻戻しモータ（図示せず）の回転を制御する巻戻しモータ制御回路３と、巻取りリール２を回転させて磁気テープＴを巻き取る巻取りモータ（図示せず）の回転を制御する巻取りモータ制御回路４と、供給リール１の回転によるリールパルスを検出するリールパルス検出回路５と、巻取りリール２の回転によるリールパルスを検出するリールパルス検出回路６と、磁気テープＴのテープ始端を検出するテープエンドセンサ７と、磁気テープＴのテープ終端を検出するテープエンドセンサ８と、磁気テープＴのビデオトラックに映像音声信号を記録再生する回転磁気ヘッド９と、磁気テープＴのコントロールトラックにコントロール信号を記録再生する磁気ヘッド１０と、回転磁気ヘッド９を回転させるスピンドルモータ（図示せず）をサーボ制御するスピンドルサーボ回路１２と、映像音声信号、コントロール信号を記録再生する記録再生回路１３と、磁気テープＴを走行させるキャプスタン１１を回転させるキャプスタンモータ（図示せず）をサーボ制御するキャプスタンサーボ回路１４と、磁気テープ装置のシステム全体を制御するマイコン１５とで構成されている。
【００１７】以上のように構成された磁気テープ装置について、以下その動作について説明する。
【００１８】リモコン装置（図示せず）等のキー操作により磁気テープＴの早送りが指令されると、マイコン１５は、巻取りモータ制御回路４に制御信号を送出して、巻取りモータ（図示せず）を制御して巻取りリール２を回転させ、磁気テープＴの早送りを開始する。そして、マイコン１５は、リールパルス検出回路６により検出された巻取りリール２の回転周期Ｔｔとリールパルス検出回路５により検出された供給リール１の回転周期Ｔｓとのリール回転周期比Ｎ（＝Ｔｔ／Ｔｓ）が所定値より小さいか否かを判別して、リール回転周期比Ｎが所定値より小さい場合（図２参照）、磁気テープＴの位置がテープ終端付近でないと判断して、巻取りリール２の回転周期Ｔｔと供給リール１の回転周期Ｔｓとの二乗和により磁気テープＴの種類を判別して、テープ走行速度を磁気テープＴの種類に応じた速度に加速し、リール回転周期比Ｎに応じたテープ走行速度で磁気テープＴを高速早送りする。供給リール１、巻取りリール２が一回転する毎に４つのリールパルスがリールパルス検出回路５、６によりそれぞれ検出されるようになっている（図３（ａ）参照）。
【００１９】磁気テープＴの高速早送り中に、マイコン１５は、リール回転周期比を監視して、リール回転周期比Ｎが急変したか否かを判断し、供給リール１のリールパルス、或いは巻取りリール２のリールパルスにノイズが混入して、供給リール１の回転周期Ｔｓがリールパルス検出回路５により誤って検出され（図３（ｂ）参照）、或いは巻取りリール２の回転周期Ｔｔがリールパルス検出回路６により誤って検出されて（図３（ｃ）参照）、リール回転周期比Ｎが急変した場合、ノイズ等の影響によりリール回転周期比が急変したと判断して、高速早送り中のテープ走行速度を維持し、リール回転周期比Ｎが急変する前のリール回転周期比Ｎに応じたテープ走行速度で磁気テープＴの高速早送りを続行する。
【００２０】そして、リール回転周期比Ｎ（＝Ｔｔ／Ｔｓ）が所定値より大きくなった場合（図２参照）、マイコン１５は、磁気テープＴのテープ位置がテープ終端付近になったと判断して、巻取りモータ制御回路４に制御信号を送出して巻取りモータ（図示せず）を制御し、巻取りリール２の回転速度を減速して、磁気テープＴのテープ走行速度を減速し、巻取りリール２側のテープエンドセンサ８によりテープ終端が検出されると、磁気テープＴの早送りを停止する。
【００２１】また、リモコン装置（図示せず）等のキー操作により磁気テープＴの巻戻しが指令されると、マイコン１５は、巻戻しモータ制御回路３に制御信号を送出して、巻戻しモータ（図示せず）を制御して供給リール１を回転させ、磁気テープＴの巻戻しを開始する。そして、マイコン１５は、リールパルス検出回路５により検出された供給リール１の回転周期Ｔｓとリールパルス検出回路６により検出された巻取りリール２の回転周期Ｔｔとのリール回転周期比Ｎ（＝Ｔｓ／Ｔｔ）が所定値より小さいか否かを判断して、リール回転周期比Ｎが所定値より小さい場合（図２参照）、磁気テープＴの位置がテープ始端付近でないと判断して、供給リール１の回転周期Ｔｓと巻取りリール２の回転周期Ｔｔとの二乗和により磁気テープＴの種類を判別して、テープ走行速度を磁気テープＴの種類に応じた速度に加速し、リール回転周期比Ｎに応じたテープ走行速度で磁気テープＴを高速巻戻しする。
【００２２】磁気テープＴの高速巻戻し中に、マイコン１５は、リール回転周期比を監視して、リール回転周期比Ｎが急変したか否かを判断し、供給リール１のリールパルス、或いは巻取りリール２のリールパルスにノイズが混入して、供給リール１の回転周期Ｔｓがリールパルス検出回路５により誤って検出され（図３（ｂ）参照）、或いは巻取りリール２の回転周期Ｔｔがリールパルス検出回路６により誤って検出されて（図３（ｃ）参照）、リール回転周期比Ｎが急変した場合、ノイズ等の影響によりリール回転周期比が急変したと判断して、高速巻戻し中の磁気テープＴのテープ走行速度を維持して、リール回転周期比Ｎが急変する前のリール回転周期比Ｎに応じたテープ走行速度で磁気テープＴの高速巻戻しを続行する。
【００２３】そして、リール回転周期比Ｎ（＝Ｔｓ／Ｔｔ）が所定値より大きくなった場合（図２参照）、マイコン１５は、磁気テープの位置がテープ始端付近になったと判断して、巻戻しモータ制御回路３に制御信号を送出して巻戻しモータ（図示せず）を制御し、供給リール１の回転速度を減速して、磁気テープＴのテープ走行速度を減速し、供給リール１側のテープエンドセンサ７によりテープ始端が検出されると、磁気テープＴの巻戻しを停止する。
【００２４】また、図４の本発明の実施の形態に係る磁気テープ装置の高速早送り動作を示すフローチャートを基に説明する。
【００２５】磁気テープの早送りが開始されると、ステップＳ１からステップＳ２に進み、ステップＳ２で、巻取りリールの回転周期Ｔｔと供給リールの回転周期Ｔｓとのリール回転周期比Ｎ（＝Ｔｔ／Ｔｓ）が所定値より小さいか否かが判断され、リール回転周期比Ｎが所定値より小さい場合、ステップＳ３に進み、リール回転周期比Ｎが所定値より小さくない場合、ステップＳ９に進む。
【００２６】ステップＳ３で、巻取りリールの回転周期Ｔｔと供給リールの回転周期Ｔｓとの二乗和により磁気テープの種類が判別され、テープ走行速度が磁気テープの種類に応じた速度に加速され、ステップＳ４に進む。
【００２７】ステップＳ４で、巻取りリールの回転周期Ｔｔと供給リールの回転周期Ｔｓとのリール回転周期比Ｎ（＝Ｔｔ／Ｔｓ）に応じたテープ走行速度で磁気テープが高速早送りされ、ステップＳ５に進む。
【００２８】ステップＳ５で、リール回転周期比Ｎが急変したか否かが判断され、リール回転周期比Ｎが急変した場合、ステップＳ６に進み、リール回転周期比Ｎが急変していない場合、ステップＳ７に進む。
【００２９】ステップＳ６で、高速早送り中のテープ走行速度を維持して、リール回転周期比Ｎが急変する前のリール回転周期比Ｎに応じたテープ走行速度で磁気テープを高速早送りが続行され、ステップＳ７に進む。
【００３０】ステップＳ７で、リール回転周期比Ｎ（＝Ｔｔ／Ｔｓ）が所定値より大きくなったか否かが判断され、リール回転周期比Ｎが所定値より大きくなった場合、ステップＳ８に進み、リール回転周期比Ｎが所定値より大きくなっていない場合、ステップＳ４に戻って、ステップＳ４からステップＳ７のステップを繰り返す。
【００３１】ステップＳ８で、巻取りリールの回転速度が減速され、テープ走行速度が減速されて、ステップＳ９に進む。
【００３２】ステップＳ９で、巻取りリール側のテープエンドセンサによりテープ終端が検出されたか否かが判断され、巻取りリール側のテープエンドセンサによりテープ終端が検出された場合、ステップＳ１０に進み、巻取りリール側のテープエンドセンサによりテープ終端が検出されていない場合、ステップＳ９のステップを繰り返す。
【００３３】ステップＳ１０で、巻取りリールの回転が停止されて、磁気テープの早送りが停止され、ステップＳ１１に進んで処理を終了する。
【００３４】また、図５の本発明の実施の形態に係る磁気テープ装置の高速巻戻し動作を示すフローチャートを基に説明する。
【００３５】磁気テープの巻戻しが開始されると、ステップＳ２１からステップＳ２２に進み、ステップＳ２２で、供給リールの回転周期Ｔｓと巻取りリールの回転周期Ｔｔとのリール回転周期比Ｎ（＝Ｔｓ／Ｔｔ）が所定値より小さいか否かが判断され、リール回転周期比Ｎが所定値より小さい場合、ステップＳ２３に進み、リール回転周期比Ｎが所定値より小さくない場合、ステップＳ２９に進む。
【００３６】ステップＳ２３で、供給リールの回転周期Ｔｓと巻取りリールの回転周期Ｔｔとの二乗和により磁気テープの種類が判別され、テープ走行速度が磁気テープの種類に応じた速度に加速され、ステップＳ２４に進む。
【００３７】ステップＳ２４で、供給リールの回転周期Ｔｓと巻取りリールの回転周期Ｔｔとのリール回転周期比Ｎ（＝Ｔｓ／Ｔｔ）に応じたテープ走行速度で磁気テープが高速巻戻しされ、ステップＳ２５に進む。
【００３８】ステップＳ２５で、リール回転周期比Ｎが急変したか否かが判断され、リール回転周期比Ｎが急変した場合、ステップＳ２６に進み、リール回転周期比Ｎが急変していない場合、ステップＳ２７に進む。
【００３９】ステップＳ２６で、高速巻戻し中のテープ走行速度を維持して、リール回転周期比Ｎが急変する前のリール回転周期比Ｎに応じたテープ走行速度で磁気テープを高速巻戻しが続行され、ステップＳ２７に進む。
【００４０】ステップＳ２７で、リール回転周期比Ｎ（＝Ｔｓ／Ｔｔ）が所定値より大きくなったか否かが判断され、リール回転周期比Ｎが所定値より大きくなった場合、ステップＳ２８に進み、リール回転周期比Ｎが所定値より大きくなっていない場合、ステップＳ２４に戻って、ステップＳ２４からステップＳ２７のステップを繰り返す。
【００４１】ステップＳ２８で、供給リールの回転速度が減速され、テープ走行速度が減速されて、ステップＳ２９に進む。
【００４２】ステップＳ２９で、供給リール側のテープエンドセンサによりテープ始端が検出されたか否かが判断され、供給リール側のテープエンドセンサによりテープ始端が検出された場合、ステップＳ３０に進み、供給リール側のテープエンドセンサによりテープ始端が検出されていない場合、ステップＳ２９のステップを繰り返す。
【００４３】ステップＳ３０で、供給リールの回転が停止されて、磁気テープの巻戻しが停止され、ステップＳ３１に進んで処理を終了する。
【００４４】
【発明の効果】以上説明してきたように、本発明による磁気テープ装置によれば、供給リールの回転周期と巻取りリールの回転周期とを検出して、検出された供給リールの回転周期と巻取りリールの回転周期との二乗和に基づいて磁気テープの種類を判別し、テープ走行速度を磁気テープの種類に応じた速度に加速して、検出された供給リールの回転周期と巻取りリールの回転周期とのリール回転周期比に応じたテープ走行速度で磁気テープを高速早送り、高速巻戻しし、検出された供給リールの回転周期と巻取りリールの回転周期とのリール回転周期比を監視して、リール回転周期比が急変したとき、高速早送り、高速巻戻し中のテープ走行速度を維持して、リール回転周期比が急変する前のリール回転周期比に応じたテープ走行速度で磁気テープの高速早送り、高速巻戻しを続行することができる。このことにより、ノイズの影響等により巻取りリールの回転周期、供給リールの回転周期とのリール回転周期比が急変した場合であっても、正常なリール回転周期比に応じたテープ走行速度で磁気テープを高速早送り、高速巻戻しすることができる。
【００４５】請求項１記載の発明に係る磁気テープ装置は、供給リールの回転周期と巻取りリールの回転周期とを検出し、検出された供給リールの回転周期と巻取りリールの回転周期との二乗和に基づいて磁気テープの種類を判別して、テープ走行速度を磁気テープの種類に応じた速度に加速し、検出された供給リールの回転周期と巻取りリールの回転周期とのリール回転周期比に応じたテープ走行速度で磁気テープを高速早送り、高速巻戻しして、検出された供給リールの回転周期と巻取りリールの回転周期とのリール回転周期比を監視し、リール回転周期比が急変したとき、リール回転周期比が急変する前のリール回転周期比に応じたテープ走行速度で磁気テープの高速早送り、高速巻戻しを続行することがようにしているので、ノイズの影響等によりリール回転周期比が急変した場合であっても、正常なリール回転周期比に応じたテープ走行速度で磁気テープを高速早送り、高速巻戻しすることができる。
【００４６】請求項２記載の発明に係る磁気テープ装置は、供給リールの回転周期と巻取りリールの回転周期とを検出して、テープ走行速度を加速し、磁気テープを高速早送り、高速巻戻しして、検出された供給リールの回転周期と巻取りリールの回転周期とのリール回転周期比を監視し、リール回転周期比が急変したとき、高速早送り、高速巻戻し中のテープ走行速度を維持して、磁気テープの高速早送り、高速巻戻しを続行することができるようにしているので、ノイズの影響等によりリール回転周期比が急変した場合であっても、正常なリール回転周期比に応じたテープ走行速度で磁気テープを高速早送り、高速巻戻しすることができる。
【００４７】請求項３記載の発明に係る磁気テープ装置は、検出された供給リールの回転周期と巻取りリールの回転周期との二乗和に基づいて磁気テープの種類を判別して、テープ走行速度を磁気テープの種類に応じた速度に加速し、磁気テープを高速早送り、高速巻戻しするようにしているので、磁気テープの種類に応じた高速のテープ走行速度で磁気テープを高速早送り、高速巻戻しすることができる。
【００４８】請求項４記載の発明に係る磁気テープ装置は、検出された供給リールの回転周期と巻取りリールの回転周期とのリール回転周期比に応じたテープ走行速度で磁気テープを高速早送り、高速巻戻しするようにしているので、磁気テープのテープ位置に応じたテープ走行速度で磁気テープを高速早送り、高速巻戻しすることができる。
【００４９】請求項５記載の発明に係る磁気テープ装置は、リール回転周期比が急変したとき、リール回転周期比が急変する前のリール回転周期比に応じたテープ走行速度で磁気テープの高速早送り、高速巻戻しを続行するようにしているので、リール回転周期比が急変しても、高速早送り、高速巻戻しが急停止されることがないため、磁気テープに傷を付けたり、磁気テープを切断したりすることを防止することができる。
【図面の簡単な説明】
【図１】本発明の実施の形態に係る磁気テープ装置の構成を示すブロック図である。
【図２】本発明の実施の形態に係る磁気テープ装置のリール回転周期比を示す説明図である。
【図３】本発明の実施の形態に係る磁気テープ装置のリールパルスを示す説明図である。
【図４】本発明の実施の形態に係る磁気テープ装置の高速早送り動作を示すフローチャートである。
【図５】本発明の実施の形態に係る磁気テープ装置の高速巻戻し動作を示すフローチャートである。
【符号の説明】
１  供給リール
２  巻取りリール
３  巻戻しモータ制御回路
４  巻取りモータ制御回路
５、６  リールパルス検出回路
７、８  テープエンドセンサ
９  回転磁気ヘッド
１０  磁気ヘッド
１１  キャプスタン
１２  スピンドルサーボ回路
１３  記録再生回路
１４  キャプスタンサーボ回路
１５  マイコン
Ｔ  磁気テープ
【図１】
2005025884.tif 000003
【図２】
2005025884.tif 000004
【図３】
2005025884.tif 000005
【図４】
2005025884.tif 000006
【図５】
2005025884.tif 000007